(57)【要約】【課題】  液体用容器付属容器を取り付けたまま液体用容器の蓋を開けることができ、運送中等に外れにくく、例えば収容量が成人１回分の服用量である健康維持・増進剤収容体を飲料水と共に提供することができる液体用容器付属容器及び容器複合体を提供することを課題とする。【解決手段】  本容器複合体は、飲料水用ペットボトル等の蓋付きの液体用容器６と液体用容器付属容器１とを備える。液体用容器付属容器は、液体用容器の蓋６２の下部に位置する首部６１１に取り付けることができ、中央部に該傾斜部が貫通する貫通孔２３を具備し、複数の係止爪３１、３２からなる係止手段を具備する筒状の容器本体２を、備え、該液体用容器付属容器は、該係止爪の先端が該傾斜部の段差、及び／又は該蓋の下端に接触することで該傾斜部に取着されている。【選択図】  図１
2007076650.tif 000002
【特許請求の範囲】
【請求項１】
蓋付きの液体用容器の蓋の下部に位置する首部を取り付けることができる液体用容器付属容器であって、
該液体用容器付属容器は、該首部を貫通させるための貫通孔を具備する係止手段を備え、該係止手段は複数の係止爪を有し、
該係止爪の先端が該首部の段差、及び／又は該蓋の下端に接触することで該首部に取着されていることを特徴とする液体用容器付属容器。
【請求項２】
上記貫通孔は、貫通する上記首部の蓋側に向かって細くなるテーパ状である請求項１記載の液体用容器付属容器。
【請求項３】
上記容器本体には、少なくとも１つの上記係止爪の根本から、該容器本体の外周を縦断するようにミシン目が設けられた請求項１又は２記載の液体用容器付属容器。
【請求項４】
上記容器本体は、樹脂製であり、上記液体用容器と同じ又は小さい外径の上部容器部及び下部容器部から構成され、
該上部容器部は、円筒部と、該円筒部の上部周縁に延設され、中心部に上記貫通孔を具備する円盤部と、を備え、
該下部容器部は、上部側の径が小さくなる漏斗状体であり、該漏斗状体の下部周縁は該円筒部の下部周縁と接合され、
上記係止爪は、該円盤部の該内周縁、及び該漏斗状体の上部周縁に沿って設けられている請求項１乃至３のいずれか１項に記載の液体用容器付属容器。
【請求項５】
上記上部容器部及び上記下部容器部は、それぞれ下部周縁に嵌合部を更に備え、各々の該嵌合部が互いに嵌合されて取着されている請求項４記載の液体用容器付属容器。
【請求項６】
上記液体用容器は、飲料水用ペットボトルである請求項１乃至５のいずれか１項に記載の液体用容器付属容器。
【請求項７】
上記容器本体は、包装体を収容し、該包装体は、包装容器と、該包装容器に収容された健康維持・増進剤とを有する請求項１乃至６のいずれか１項に記載の液体用容器付属容器。
【請求項８】
上記健康維持・増進剤が栄養補助食品である請求項７記載の液体用容器付属容器。
【請求項９】
上記健康維持・増進剤の収容量は成人１回分の服用量である請求項７又は８記載の液体用容器付属容器。
【請求項１０】
上記容器本体の表面及び／又は内面に、上記健康維持・増進剤に関する情報が記載されている請求項７乃至９のいずれか１項に記載の液体用容器付属容器。
【請求項１１】
液体用容器と、該液体用容器の首部に取り付けられた請求項１乃至１０のいずれか１項に記載の液体用容器付属容器と、を備えることを特徴とする容器複合体。
【発明の詳細な説明】
【技術分野】
【０００１】
本発明は、飲料水用ペットボトル等の液体用容器の首部に取り付けて用いる液体用容器付属容器及び容器複合体に関する。更に詳しくは、本発明は、液体用容器付属容器を取り付けたまま液体用容器の蓋を開けることができ、運送中等に外れにくく、例えば収容量が成人１回分の服用量である健康維持・増進剤収容体を飲料水と共に提供することができる液体用容器付属容器及び容器複合体に関する。
【背景技術】
【０００２】
栄養補助食品、健康食品又は医薬部外品等の健康維持・増進剤は、例えば、１週間分、１０日分、１月分、又はそれ以上が、プラスチック製袋又は瓶等の容器に収容された、錠剤、粉末、カプセル等の形態で提供されており、服用に際し、消費者自らが必要分を小分けし、飲料水と共に飲用することが一般的である。しかし、複数回に小分けして使用することから、長期間保存することになり、消費期限内に服用しきることができない場合も生ずる。
また、健康維持・増進剤は、店頭販売が中心であり、一般消費者は、小売店、スーパーマーケットなどで購入することが多い。更に、薬店等の専門店へ出向けば、知識のない消費者にとって、薬剤師等の専門家と相談して自己に適合した栄養補助食品等の健康維持・増進剤を購入することができるという利点がある。しかし、店頭販売されている時間は決まっていることが多く、深夜等に購入を希望しても購入できない場合がある。
更に、健康維持・増進剤を飲用するには通常飲料水を用いるが、この飲料水は別途入手する必要がある。そこで、健康維持・増進剤を容易に飲用するために、飲料水及び健康維持・増進剤をそれぞれ収容可能な専用容器に収容し、自動販売機等で販売することが提案されている（例えば、特許文献１参照）。
【０００３】
【特許文献１】実用新案登録第３１１０４５９号公報（第５頁、第７図）
【発明の開示】
【発明が解決しようとする課題】
【０００４】
しかし、専用容器を用いる場合は、既製の飲料水及びその飲料水容器を用いることができないため、容易に提供することが困難である。
また、飲料水や調味料等の液体用容器の蓋を取り付ける首部に、景品を入れた袋等をぶら下げることが一般に行われているが、ぶら下げたままを通常の梱包材で梱包することが困難であるため、梱包材から飲料水容器を取り出した後にぶら下げる必要があった。さらに、袋等は液体用容器から容易にとりはずすことができるために紛失しやすく、比較的高価な健康維持・増進剤の収容には適さなかった。更に、このような袋は、液体用容器から中身を取り出すときの邪魔になることが多い。また、健康維持・増進剤を収容したまま、液体用容器を持ち歩くには、袋等が扱いづらく不便であった。また、装置内で外れたり詰まったりするため、自動販売機を用いて販売することができなかった。
【０００５】
本発明は、上記実情に鑑みてなされたものであって、液体用容器付属容器を取り付けたまま液体用容器の蓋を開けることができ、運送中等に外れにくく、例えば、収容量が成人１回分の服用量である健康維持・増進剤収容体を飲料水と共に提供することができる液体用容器付属容器及び容器複合体を提供することを解決すべき課題とする。
【課題を解決するための手段】
【０００６】
本発明は、以下の通りである。
１．蓋付きの液体用容器の蓋の下部に位置する首部を取り付けることができる液体用容器付属容器であって、該液体用容器付属容器は、該首部を貫通させるための貫通孔を具備する係止手段を備え、該係止手段は複数の係止爪を有し、該係止爪の先端が該首部の段差、及び／又は該蓋の下端に接触することで該首部に取着されていることを特徴とする液体用容器付属容器。
２．上記貫通孔は、貫通する上記首部の蓋側に向かって細くなるテーパ状である上記１．記載の液体用容器付属容器。
３．上記容器本体には、少なくとも１つの上記係止爪の根本から、該容器本体の外周を縦断するようにミシン目が設けられた上記１．又は２．記載の液体用容器付属容器。
４．上記容器本体は、樹脂製であり、上記液体用容器と同じ又は小さい外径の上部容器部及び下部容器部から構成され、該上部容器部は、円筒部と、該円筒部の上部周縁に延設され、中心部に上記貫通孔を具備する円盤部と、を備え、該下部容器部は、上部側の径が小さくなる漏斗状体であり、該漏斗状体の下部周縁は該円筒部の下部周縁と接合され、上記係止爪は、該円盤部の該内周縁、及び該漏斗状体の上部周縁に沿って設けられている上記１．乃至３．のいずれかに記載の液体用容器付属容器。
５．上記上部容器部及び上記下部容器部は、それぞれ下部周縁に嵌合部を更に備え、各々の該嵌合部が互いに嵌合されて取着されている上記４．記載の液体用容器付属容器。
６．上記液体用容器は、飲料水用ペットボトルである上記１．乃至５．のいずれかに記載の液体用容器付属容器。
７．上記容器本体は、包装体を収容し、該包装体は、包装容器と、該包装容器に収容された健康維持・増進剤とを有する上記１．乃至６．のいずれかに記載の液体用容器付属容器。
８．上記健康維持・増進剤が栄養補助食品である上記７．記載の液体用容器付属容器。
９．上記健康維持・増進剤の収容量は成人１回分の服用量である上記７．又は８．記載の液体用容器付属容器。
１０．上記容器本体の表面及び／又は内面に、上記健康維持・増進剤に関する情報が記載されている上記７．乃至９．のいずれかに記載の液体用容器付属容器。
１１．液体用容器と、該液体用容器の首部に取り付けられた上記１．乃至１０．のいずれか１項に記載の液体用容器付属容器と、を備えることを特徴とする容器複合体。
【発明の効果】
【０００７】
本発明の液体用容器付属容器によれば、液体用容器の蓋の下部に位置する首部によって貫かれた状態で取り付けることができるため、取り付けた状態でも液体用容器の蓋を開け閉めし、液体用容器の中身を取り出すことができる。また、係止爪によって首部に取り付られているため、液体用容器から液体用容器付属容器が外れにくい。このため、液体用容器付属容器を液体用容器に取り付けたまま持ち運んだり、自動販売機を用いて販売したりしても液体用容器付属容器が容易に外れないし、液体用容器を箱詰めして搬送するのに邪魔にならない。
【０００８】
貫通孔がテーパを備える場合は、貫通孔の形状を液体用容器の首部の形状に合わせることができ、安定して液体用容器付属容器を液体用容器に取り付けることができるようになり、液体用容器付属容器内の空間を大きくすることもできる。
容器本体にミシン目を設けた場合は、容器本体を容易に切り開くことができるため、液体用容器付属容器内の包装体等の収容物を容易に取り出すことができる。また、貫通孔を切り開くため、液体用容器付属容器を液体用容器から外しやすくすることができる。更に、液体用容器付属容器を廃棄するときに、容器本体を切り開いて平坦にし、折り畳み等がし易くなるため、嵩を減らして嵩張らないようにすることができる。
容器本体が液体用容器と略同じ外径の上部容器部及び下部容器部からなる場合は、それぞれに設けた係止爪によって液体用容器付属容器を液体用容器から容易に外れないように取り付けることができる。また、容器本体を２つに分けることによって各容器部を容易に形成することができ、容器本体を容易に製造することができる。更に、同じ外径にすることによって液体用容器付属容器を取り付けたまま、従来の梱包材を用いて液体用容器を梱包することができる。
また、嵌合部を設けた場合は、上部容器部及び下部容器部を嵌め合わせることによって容器本体を組み立てることができるため、液体用容器付属容器の作製がより簡単となる。
液体用容器が飲料水用ペットボトルである場合は、液体用容器内の飲料水を液体用容器付属容器内に収容した飲食物の飲用に用いることができる。
【０００９】
健康維持・増進剤を有する包装体を収容する場合は、液体用容器及び包装体を一体として販売して、健康維持・増進剤を利用しやすくすることができる。
健康維持・増進剤の収容量が成人１回分の服用量である場合は、出先等で１回分及び／又は１日分のみ必要となった場合、所要量を購入することができる。また、長期間保存することもないため、消費期限内に服用しきることができる。
健康維持・増進剤に関する情報が記載されている場合は、健康維持・増進剤に関して対面販売において得られると同様の情報が得られるため、安心して服用することができる。
【００１０】
本発明の容器複合体によれば、液体用容器の蓋の下部に位置する首部によって貫かれた状態の液体用容器付属容器を備えるため、液体用容器付属容器を取り付けた状態であっても液体用容器の蓋を開け閉めし、液体用容器の中身を取り出すことができる。また、液体用容器付属容器は、係止爪によって取り付けられるため、液体用容器から液体用容器付属容器が外れにくい。このため、液体用容器付属容器を液体用容器に取り付けたまま、持ち運んでも液体用容器付属容器が容易に外れないし、箱詰めして搬送するのに邪魔にならない。また、自動販売機を用いて本容器複合体を販売しても液体用容器付属容器が外れたり、自動販売機内で詰まったりしない。更に、液体用容器、及び液体を収容した液体用容器は、既製品を用いることができるため、容器複合体を容易に提供することができる。
【発明を実施するための最良の形態】
【００１１】
以下、図１〜１５を例にして本発明の液体用容器付属容器及び容器複合体を詳細に説明する。
本容器複合体は、例えば図１〜３に例示するように、液体用容器６と、液体用容器６の首部６１１に取り付けることができる液体用容器付属容器１と、を備える。
上記「液体用容器６」は、水、お茶及びジュース等の飲料水、飲み薬、栄養ドリンク剤並びに酒等の主に飲用の液体を入れることができる容器である。また、液状の調味料の他、化粧品、塗料及び薬品等の飲用以外の任意の液体用の容器であってもよい。
この液体用容器６は、例えば図１及び図３に例示するように、蓋６２の下部の径が液体用容器本体６１の胴よりも細く、任意の形状のテーパを備える「首部６１１」を有した瓶形状であればよく、通常用いられるものを用いることができる。この例として、ペットボトル、アルミニウム瓶、スチール瓶及びガラス瓶等を挙げることができる。このうち、飲料水用容器として多く使われているペットボトルが好ましい。また、例示した図１及び図３は、円柱状の容器であるがこれに限らず、３角柱、４角柱及び５角柱等の角柱状であってもよいし、楕円形状等であってもよい。
上記「段差」は、蓋をしめるためのねじ山や、図１及び図３に例示するような蓋６２の装着位置の下方につば状部分６１１１等、凹凸が形成されている部分をいう。
【００１２】
本液体用容器付属容器は、例えば図４、５に例示するように、容器本体２と、係止爪３１、３２からなる係止手段とを備える。
上記「容器本体」は一体に形成されていてもよいし、２以上の部材から構成されていてもよい。２以上の部材から構成されている例として、図１〜図１１に例示するように、円筒部２１１、及び円筒部２１１の上部周縁に延設され、中心部に上記貫通孔２３を具備する円盤部２１２を備えた上部容器部２１と、漏斗状の下部容器部２２を組み立てた容器本体２を挙げることができる。
このような容器本体を一体にする方法は任意に選択することができ、例えば図１〜図１１に例示するように、上部容器部２１及び下部容器部２２のそれぞれの下部周縁に嵌合部２１３、２２１を設け、これら嵌合部２１３、２２１を嵌合させることによって一体に組み立てることができる。尚、この嵌合部を設ける位置は下側周縁に限られず、図１５に例示するように容器本体２の上側に嵌合部２４を設けてもよいし、他の部位にも嵌合部を設けてもよい。更に、複数の部材からなる容器本体を一体にする方法は嵌合に限らず、ヒートシールや接着剤による接着を行ってもよい。
更に、液体用容器付属容器の形状は、椀状の上部容器部（例えば、図１４の上部容器部２１Ａを参照）等、任意の形状にすることができる。特に、取り付ける液体用容器の形状に合わせた形状とすることで、全体としての意匠性に優れたものにすることができる。
容器本体の大きさは、液体用容器の首部に取り付けたときに、液体用容器の外周、及び首部の高さを超えないことが好ましい。これらの大きさを超えると、液体用容器を収納する通常の梱包材及び自動販売機に収納することができなくなるからである。また、携行するときにも不便であるからである。
また、容器本体の材質は任意に選択することができ、樹脂、紙及び金属等を挙げることができる。また、これらの複合材（例えば積層材等）でもよい。このうち、樹脂が美観と扱いやすさに優れているため好ましい。更に、樹脂の種類は特に問わず、例えば、通常容器及び包装に用いられる樹脂を用いることができる。このような樹脂として、ＰＥＴ、ＰＰ、ＰＥ等を挙げることができる。
【００１３】
上記「係止手段」は、係止爪からなる。上記「係止爪」は、例えば図１〜３に例示するように、係止爪３１、３２の先端を首部６１１に形成されている段差６１１１、及び／又は液体用容器６の蓋６２の下端６２１に突き当たるように接触させることによって、液体用容器付属容器１が蓋６２側に移動するのを阻止して液体用容器６から外れないようにして、首部６１１に取り付けるための部材である。
係止爪の先端形状は、任意に選択することができ、例えば、図６〜１１に例示するように先端が鋭角の三角形状の係止爪３１、３２を挙げることができる。また、台形状（例えば、図１５に例示する係止爪３３、３４を参照。）、接触先の形状に合わせた弧状、並びに波状及びジグザグ状等を挙げることができる。
更に、係止爪は、１種類のみを複数備えてもよいし、例えば図４に例示するように、２種類以上の係止爪３１、３２を備えてもよい。
また、係止爪は、容器本体と同じ材質を用い、一体に形成することができる。更に、係止爪は、容器本体と異なる任意の材質を用いることができる。
【００１４】
上記「貫通孔」は、液体用容器の首部が貫通することができれば、その形状は特に問わない。また、貫通孔は、貫通する上記首部の蓋側に向かって細くなるテーパ状にすることで、安定して液体用容器付属容器を液体用容器に取着できるようになり、液体用容器付属容器内の空間を大きくすることができる。
上記「ミシン目」は、例えば、図６〜１３に例示するように、容器本体の一部を切り開くことで容器本体を解体するために設けられている。このミシン目４は図６〜１１に例示するように、少なくとも１つの係止爪３１、３２の根本から、上記容器本体の外周縁部である嵌合部２１３、２２１にかけて、容器本体の外周を縦断するように設けるのが好ましい。このように設けることによって、係止爪３１、３２をつまみとして用いることができ、ミシン目に沿って容器本体の一部を切り開くことができる。また、ミシン目を設ける長さを短くすることができ、容器本体の解体が容易となる。更に、貫通孔２３が切り開くように解体することができるため、容器本体内に収容された収納物を取り出したり、容器本体を液体用容器から外したりすることができる。
【００１５】
本液体用容器付属容器は、容器本体内に収まる大きさの任意の物を収容することができる。この例として、包装体に収容した健康維持・増進剤を挙げることができる。また、液体用容器付属容器は、健康維持・増進剤を収容するに限られず、栄養補給食品（エネルギーバー、チョコレート、キャラメル、カンパン等）、粉末飲料（お茶、ジュース、ココア、酒等）、おつまみ等の食品を収容することができる。また、景品、試食・試飲品、印刷物等も収容することができる。特に、液体用容器に水を収容し、且つ栄養補給食品及びカンパン等を収容した場合は、登山及び避難等の際に食品及び水の携行に適する。
上記「健康維持・増進剤」は、栄養補助食品、健康食品又は医薬部外品等、特に、栄養補助食品の健康の維持・増進に用いられる飲用物である。この健康維持・増進剤の形状は特に限定されず、例えば、錠剤状、カプセル状又は粉末状等とすることができる。これらのうちでは、服用が容易である錠剤状又はカプセル状であることが好ましい。これらの健康維持・増進剤は、通常、上記「包装体」に収容されており、この包装体の材質は特に限定されないが、通常、紙及びプラスチックフィルム等である。この包装体は、少なくとも１本のミシン目が設けられ、２個以上の容器部に分割可能とされていてもよい。
【００１６】
包装体に収容される健康維持・増進剤に含有される栄養素は特に限定されず、例えばＣａ、Ｍｇ、Ｚｎ、Ｆｅ、Ｎａ、Ｋ、Ｃｒ、Ｐ、Ｓｅ、Ｍｏ、Ｍｎ、Ｃｕ及びＩのうちの少なくとも１種のミネラル分、ビタミンＡ、ビタミンＢ群（ビタミンＢ１、ビタミンＢ２、ビタミンＢ６、ビタミン１２）、ビタミンＣ、ビタミンＤ、ビタミンＥ、ビタミンＫ、ビタミンＰ及びビタミンＱ（補酵素Ｑ１０、コエンザイムＱ１０ともいわれる。）のうちの少なくとも１種のビタミン、並びにエイコサペンタエン酸、ドコサヘキサエン酸、乳酸菌、食物繊維、α−リポ酸、コンドロイチン、ヒアルロン酸、グルコサミン酸、プロテイン、コラーゲン、Ｌ−カルミチン等が挙げられる。そして、例えば、朝は、貧血を防いでＦｅ、昼は目の疲れを癒すためビタミンＢ群というように、特に必要とされる特定の栄養素を摂取することができる。
【００１７】
包装体には、異なる栄養素が含有される健康維持・増進剤が、特定の組み合わせで収容されていることが好ましい。この組み合わせは特に限定されないが、例えば、ビタミンＢ１とビタミンＣとミネラル分であるＺｎ、ビタミンＢ群とビタミンＣとミネラル分であるＺｎ、ビタミンＢ１とエイコサペンタエン酸とドコサヘキサエン酸、ビタミンＢ群とエイコサペンタエン酸とドコサヘキサエン酸、ビタミンＡとビタミンＢ群とビタミンＣ、ビタミンＢ１とビタミンＥ、ビタミンＢ群とビタミンＥ、ビタミンＢ１とビタミンＣとビタミンＥ、ビタミンＢ群とビタミンＣとビタミンＥ、ビタミンＱとヒアルロン酸、又はビタミンＱとヒアルロン酸とコラーゲン、の組み合わせ等が挙げられる。このようにすれば、それぞれの効能を有する複数の健康維持・増進剤を、朝昼夜等の最適な時期に摂取することができ、必要であればこれらを一時に摂取することもできる。
【００１８】
包装体に収容される健康維持・増進剤は１種のみでもよく、異なる栄養素を含有する２種以上が収容されていてもよい。２種以上が収容される場合、２〜５種とすることができるが、通常、２〜３種である。また、２種以上が収容される場合、各々異なる栄養素を含有する健康維持・増進剤は、錠剤、カプセルであれば、それぞれ２〜３個、粉末であれば、それぞれ２〜３包み、収容されることになる。
尚、液体用容器付属容器には、同種の栄養素が含有される健康維持・増進剤が、錠剤、カプセルであれば２〜３個、粉末であれば２〜３包み収容されていてもよい。また、健康維持・増進剤が、錠剤、カプセル等であれば、包装体に収納することなく、そのまま液体用容器付属容器内に収容してもよい。
上記のように複数の健康維持・増進剤が収容されておれば、例えば、朝、昼、夜と各々に必要な栄養素を含有する健康維持・増進剤を服用することができる。更に、液体用容器付属容器には、２又は３個の包装体が収容されていてもよい。
【００１９】
更に、各々の液体用容器付属容器の表面及び／又は内面には、情報を記載することができる。例えば、図１５に例示するように、液体用容器付属容器１の容器本体２の表面に、収容された健康維持・増進剤に関する情報７を記載することができる。この情報７は、容器本体２の内面に記載することもできるが、通常、その表面に記載される。
また、容器本体には、情報が記載された文書を健康維持・増進剤と共に収容することもできる。特に、この文書に、収容されている健康維持・増進剤の摂取量の目安としての天然物で摂取した場合との対比（例えば、Ｚｎが柿１００個分含有されている等）、摂取時期（食事とともに又は食後等）を記載することができる。このようにすれば、対面販売で購入するときと同様の情報を得ることができ、安心して健康維持・増進剤を服用することができる。
更に、文書には、健康維持・増進に関する最新情報、豆知識等を記載することもできる。これにより、収容されている健康維持・増進剤ばかりでなく、他の健康維持・増進剤も含めて、より幅広く健康維持・増進及び健康維持・増進剤に関する知識を提供することができるとともに、他の健康維持・増進剤の宣伝広告をすることもできる。
【実施例】
【００２０】
以下、実施例により本発明の液体用容器付属容器を具体的に説明する。
本実施例は、図１〜３に示すように、５００ｍＬのお茶等の飲料水を収容した飲料水用ペットボトルである液体用容器６と、液体用容器６に取り付けて用いる液体用容器付属容器１と、を備える容器複合体である。
液体用容器付属容器１は、ＰＥＴ製であり図１〜５に示すように、上部容器部２１及び下部容器部２２からなり、係止爪３１、３２と、上部容器部２１及び下部容器部２２の中心を上下に貫き、係止爪３１、３２から形成される貫通孔２３と、を備える容器本体２を備える。また、液体用容器付属容器１の外径は、取り付け対象の液体用容器６の外径と略同じであり、高さは、液体用容器６の首部６１１の高さより低い。
【００２１】
上部容器部２１は図１〜８に示すように、円筒部２１１と、円筒部２１１の上部周縁に延設され、中心部に貫通孔２３を形成する円盤部２１２と、円筒部２１１の下部周縁に具備する嵌合部２１３と、を備える。
下部容器部２２は図１〜５及び図９〜１１に示すように、上部側の径が小さくなり、中心に液体用容器６の首部６１１と略同じ勾配を備えた貫通孔２３を備える漏斗状であり、下部周縁に嵌合部２１３と嵌合する嵌合部２２１を備える。
上部容器部２１に設けられた係止爪３１は三角形片であり、円盤部２１２の内周縁に沿って８片設けられている。また、下部容器部２２に設けられた係止爪３２も係止爪３１と同様に三角形片であり、上部周縁に沿って８片設けられている。更に、係止爪３１、３２と、上部容器部２１及び下部容器部２２とは一体に形成されている。これら係止爪３１、３２の先端が集まる部分を貫通することで貫通孔２３が形成される。各係止爪３１、３２を配列すると、蓋６２を貫通させたときに形成される貫通孔２３より径が小さな貫通孔が形成されるため、蓋６２を貫通させるには、各係止爪３１、３２を押し曲げながら行う必要がある。このため、係止爪３１、３２の先端は、押し曲げられた係止爪３１、３２の復元力によって首部６１１に押しつけられる。
また、上部容器部２１及び下部容器部２２は、係止爪３１、３２の１つの根本の両側から嵌合部２１３、２２１にかけて略平行の２本のミシン目４が設けられており、その係止爪３１、３２をつまんで外側に力をかけることで、ミシン目４に沿って切り開くことができる。これによって、上部容器部２１及び下部容器部２２は、図１２及び１３に示すように、貫通孔２３が形成されないよう解体することができる。
【００２２】
このような液体用容器付属容器１は、図１〜３に示すように、上部容器部２１及び下部容器部２２を嵌合させて、上部容器部２１及び下部容器部２２の間にできる空間内に包装体５を収容することができる。この包装体５の包装容器には、成人１回分の服用量の栄養補助食品等の健康維持・増進剤が収容されている。
【００２３】
また、液体用容器付属容器１は図１〜３に示すように、液体用容器６の蓋６２及び首部６１１を下部容器部２２側から貫通孔２３に差し込み、蓋６２が上部容器部２１から全て露出するように挿通させて液体用容器６に取り付けることができる。
このとき、係止爪３１、３２が図３に示すように、その先端を該蓋６２の下端６２１及び首部６１１によって形成する段差６１１１に接触することで、液体用容器付属容器１を首部６１１から容易に外れないように取着することができる。
また、液体用容器付属容器１は、液体用容器６の外径と同じ外径であり、且つ高さが首部６１１より低いため、液体用容器６に取り付けても、液体用容器６の外径及び高さを超えることが無く、自動販売機に取り付けたまま収容して販売することができる。また、通常の、液体用容器６の梱包材を用いて梱包することができる。更に、携行するときに、邪魔にならない。
【００２４】
更に、液体用容器付属容器１から液体用容器６を引き抜くときは、係止爪３１、３２が下端６２１及び段差６１１１につっかえるため大きな力が必要となり、運送中の振動及び衝撃によって外れることがない。更に、蓋６２が液体用容器付属容器１から露出しているため、液体用容器付属容器１を液体用容器６に取り付けたまま蓋６２を取り外し、液体用容器６内の飲料水を取り出すことができる。
また、包装体５を取り出すなどの目的で、液体用容器付属容器１を液体用容器６から取り外すときは、取り付けたときとは逆方向に力をかけて引き抜くことができる。更に、ミシン目４につながる係止爪３１をつまんで、上部容器部２１及び下部容器部２２を解体して取り除くことができる。
【図面の簡単な説明】
【００２５】
【図１】包装体を入れた液体用容器付属容器を液体用容器であるペットボトルに取り付けた容器複合体を説明するための部分斜視図である。
【図２】包装体を入れた液体用容器付属容器を液体用容器であるペットボトルに取り付けた容器複合体を説明するための模式平面図である。
【図３】包装体を入れた液体用容器付属容器を液体用容器であるペットボトルに取り付けた容器複合体を説明するための模式断面図である。
【図４】液体用容器に取り付けた状態に係止爪が曲がっている本液体用容器付属容器の構成を説明するための模式斜視図である。
【図５】液体用容器に取り付けた状態に係止爪が曲がっている本液体用容器付属容器の構成を説明するための模式平面図である。
【図６】液体用容器に取り付けた状態に係止爪が曲がっている上部容器部の構成を説明するための模式斜視図である。
【図７】液体用容器に取り付けた状態に係止爪が曲がっている上部容器部の構成を説明するための模式平面図である。
【図８】上部容器部の構成を説明するための模式平面図である。
【図９】液体用容器に取り付けた状態に係止爪が曲がっている下部容器部の構成を説明するための模式斜視図である。
【図１０】液体用容器に取り付けた状態に係止爪が曲がっている下部容器部の構成を説明するための模式平面図である。
【図１１】下部容器部の構成を説明するための模式平面図である。
【図１２】ミシン目に沿って一部を切り開いた上部容器部を説明するための模式斜視図である。
【図１３】ミシン目に沿って一部を切り開いた下部容器部を説明するための模式斜視図である。
【図１４】上部容器部の形状が椀状の液体用容器付属容器の構成を説明するための模式斜視図である。
【図１５】上部で上部容器部及び下部容器部を接合し、文書が印刷された液体用容器付属容器の構成を説明するための模式斜視図である。
【符号の説明】
【００２６】
１；液体用容器付属容器、２；容器本体、２１；上部容器部、２１１；円筒部、２１２；円盤部、２１３、２２１；嵌合部、２２；下部容器部、２３；貫通孔、３１、３２；係止爪、４；ミシン目、５；包装体、６；液体用容器（ペットボトル）、６１；液体用容器本体、６１１；首部、６２；蓋。
【図１】
2007076650.tif 000003
【図２】
2007076650.tif 000004
【図３】
2007076650.tif 000005
【図４】
2007076650.tif 000006
【図５】
2007076650.tif 000007
【図６】
2007076650.tif 000008
【図７】
2007076650.tif 000009
【図８】
2007076650.tif 000010
【図９】
2007076650.tif 000011
【図１０】
2007076650.tif 000012
【図１１】
2007076650.tif 000013
【図１２】
2007076650.tif 000014
【図１３】
2007076650.tif 000015
【図１４】
2007076650.tif 000016
【図１５】
2007076650.tif 000017